(57)【要約】【課題】構造簡素にして安価な布団カバーと布団との位置ずれ防止装置を得る。【解決手段】布団カバ−（１）と、該布団カバ−（１）によって覆われる布団（５）の表面シート（５ａ）とのうち、少なくともいずれか一方の対面側に軟質性樹脂、合成ゴム等からなる小片の摩擦物（３）を所定の間隔をおいて一体的に固着する。また、上記摩擦物（３）は直径２ｍｍ〜４ｍｍの半球状とし、該摩擦物（３）を約１０ｍｍの間隔をおいて点在させる。【選択図】図２
2006000349.tif 000002
【特許請求の範囲】
【請求項１】
布団カバ−（１）と、該布団カバ−（１）によって覆われる布団（５）の表面シート（５ａ）とのうち、少なくともいずれか一方の対面側に軟質性樹脂、合成ゴム等からなる小片の摩擦物（３）を所定の間隔をおいて一体的に固着したことを特徴とする布団カバーと布団との位置ずれ防止装置。
【請求項２】
摩擦物（３）は直径２ｍｍ〜４ｍｍの半球状とし、該摩擦物（３）を約１０ｍｍの間隔をおいて点在させたことを特徴とする請求項１記載の布団カバーと布団との位置ずれ防止装置。
【発明の詳細な説明】
【技術分野】
【０００１】
本発明は、布団カバーと布団とを摩擦力によって係合させることにより、両者の不用意な位置ずれを防止する布団カバーと布団との位置ずれ防止装置に関するものである。
【背景技術】
【０００２】
従来の技術として特許文献１があった。即ち、布団カバー本体の上面に、その周縁に沿って四角形状の開口部を形成し、該開口部の各角部に直角三角形状の布片を逢着するとともに、各布片の斜辺両端部を互いに重ね合せ、各布片の斜辺で中央部に菱形、四角形の布団の挿脱孔を形成するとともに、各斜辺部に弾性材を装着して該斜辺を伸縮自在にしたものがあった。
【０００３】
上記従来のものは、布団カバーと内部の布団とがよく密着して両者の位置ずれを防止することができる。しかしながら、布団カバー本体の上面に広い四角形状の開口部を形成したり、該開口部の各角部に直角三角形状の布片を逢着したり、さらに、各布片の斜辺部に弾性材を装着したりするようにしていたので、構造が複雑になって製作に手数を要するとともに、高価になるものであった。
【０００４】
【特許文献１】実開平７−３０８３５公報
【発明の開示】
【発明が解決しようとする課題】
【０００５】
本発明は、布団カバーと布団とを摩擦物を介して接触させることにより、構造簡素にして両者の位置ずれがし難くなる、布団カバーと布団との位置ずれ防止装置を得ることを目的とする。
【課題を解決するための手段】
【０００６】
請求項１に係る発明は、布団カバーと、該布団カバーによって覆われる布団の表面シートとのうち、少なくともいずれか一方の対面側に軟質性樹脂、合成ゴム等からなる小片の摩擦物を所定の間隔をおいて一体的に固着する構成にしたものである。
請求項２に係る発明は、前記摩擦物を直径２ｍｍ〜４ｍｍの半球状とし、該摩擦物を約１０ｍｍの間隔をおいて点在させるようにしたものである。
【発明の効果】
【０００７】
請求項１に係る発明は、布団カバーにより布団を覆うと、一方の面に固着した摩擦物が他方の面に当接して両者の摩擦力が高くなる。これにより、両者は位置ずれし難くなる。また、摩擦物は小片とし、これを所定の間隔をおいて一方の面に固着するようにしたので、布団カバー及び布団の通気性を良好に維持することができるとともに、これらの構造（袋形状）に左右されることなく両者の摩擦力を高くすることができる。
【０００８】
請求項２に係る発明は、上記摩擦物を直径２ｍｍ〜４ｍｍの半球状とし、該摩擦物を約１０ｍｍの間隔をおいて点在させるようにしたので、上記布団カバーと布団との摩擦力が所定値に維持されながら、布団カバー、及び布団の表面シートの開口率が高くなってこれらの通気性が良好に維持されることになる。さらに、摩擦物を半球状としたので、摩擦物の量に対する生地への固着面積が増大することになり、摩擦物が生地に強固に固着されることになる。
【０００９】
上記摩擦物は、布団カバー、あるいは布団の表面シートとなる生地に、未硬化の軟質性樹脂、合成ゴム等を所定の間隔をおいて適量つづ滴下（塗布）し、これを硬化させることによって容易に形成することができる。
【発明を実施するための最良の形態】
【００１０】
以下本発明の実施の形態を図面に基いて説明する。図面において、図１は本発明の第１実施例を示す平面図、図２は図１のII-II線による拡大断面図、図３は図２のIII-III線による部分断面図、図４は本発明の第２実施例を示す平面図、図５は本発明の第３実施例を示す図２相当の拡大断面図、図６は本発明の第４実施例を示す斜視図である。
【００１１】
図１〜図３において、１は布団カバー、５は布団カバーにより覆われた布団である。上記布団カバー１は、通気性を有するシートにより長方形の袋状に形成されるとともに、その右側部がファスナー２によって開閉可能となっている。なお、このファスナー２は左側部に設けるようにしてもよい。
【００１２】
上記布団カバー１の内面にはその全面に多数の摩擦物３が点在して固着されている。該摩擦物３は、軟質性樹脂、合成ゴム等からなり、図２、図３に示すように、直径２ｍｍ〜４ｍｍ、好ましくは約３ｍｍの半球状とし、該摩擦物３を約１０ｍｍの間隔をおいて千鳥状に点在させて固着する。
【００１３】
布団５は、通気性を有するシートにより長方形かつ袋状の表面シート５ａを形成し、該表面シート５ａ内に綿、羽毛等の保温材５ｂを充填してなる。
【００１４】
図４は第２実施例を示す。このものは、布団カバー１の内面全面に、線状の摩擦物３ａを約１０ｍｍの間隔をおいて菱形状に交叉させて形成したものである。
【００１５】
図５は第３実施例を示す。このものは、布団５の表面シート５ａの外面に第１実施例と同様に、半球状の摩擦物５ｃを点在させて固着したものである。なお、この摩擦物５ｃは、図４と同様に線状のものを約１０ｍｍの間隔をおいて菱形状に交叉させて固着するようにしてもよい。
【００１６】
図６は第４実施例を示す。図６において、４は布団襟カバーである。該布団襟カバー４は、図１の仮想線、及び図６に示すように、通気性を有するシートにより布団５の襟部（前部）を覆う、前後に短い袋状とし、後部側に開口４ｂを有する。該布団襟カバー４の内面全面に半球状の摩擦物４ｂを点在させて固着する。該摩擦物４ｂは、前述した第１実施例と同様に、約３ｍｍの半球状とし、これを約１０ｍｍの間隔をおいて千鳥状に点在させて固着する。
【００１７】
前述した摩擦物３（３ａ、４ａ，５ｃ）は、布団カバー１、布団５、布団襟カバー４を縫製する前段において、その生地（シート）に、未硬化の軟質性樹脂、合成ゴム等を所定の間隔をおいて適量つづ滴下（塗布）し、これを硬化させることによって形成する。
【００１８】
なお、上記摩擦物３（３ａ，４ａ，５ｃ）の形状、間隔及び大きさは、布団カバー１、布団襟カバー４及び布団５の表面シート５ａの材質、布目の大きさ、あるいは摩擦物３（３ａ，４ａ，５ｃ）の材質等によって適宜設定する。また、本発明は、布団カバー１の内面と、布団５の表面シート５ａの外面との双方に、半球状、あるいは線状の摩擦物３（３ａ，５ｃ）を固着するようにしてもよい。
【００１９】
上記実施例によれば、布団カバー１内に布団５を収容すると、例えば、布団カバー１の内面側に固着した摩擦物３（３ａ）が、布団５の表面シート５ａの外面に当接することになる。これにより、両者が高い摩擦力で係合し、布団５が布団カバー１内で不用意に移動しなくなる。また、摩擦物３（３ａ）は、半球状あるいは線状とし、これを所定の間隔をおいて固着するようにしたので、生地の目の開口率がさほど低下せず、布団カバー１の通気性を良好に維持することができる。しかも、布団カバー１の構造（袋形状）、例えば上面中央部に布団５の出し入れができる菱形あるいは方形の脱挿孔が形成される形式の布団カバー等に左右されることなく、上記摩擦力を高くすることができる。
【００２０】
また、摩擦物３（３ａ，４ａ，５ｃ）は、布団カバー１、布団５、布団襟カバー４を縫製する前段において、その生地（シート）に、未硬化の軟質性樹脂、合成ゴム等を所定の間隔をおいて適量つづ滴下（塗布）し、これを硬化させることによって形成するようにしたので、上記摩擦物３（３ａ，５ｃ）を効率よくかつ容易に形成することができる。
【図面の簡単な説明】
【００２１】
【図１】本発明の第１実施例を示す平面図である。
【図２】図１のII-II線による拡大断面図である。
【図３】図２のIII-III線による部分断面図である。
【図４】本発明の第２実施例を示す平面図である。
【図５】本発明の第３実施例を示す図２相当の拡大断面図である。
【図６】本発明の第４実施例を示す斜視図である。
【符号の説明】
【００２２】
１    布団カバー
２    ファスナー
３（３ａ）、４ａ、５ｃ    摩擦物
４    布団襟カバー
４ｂ  開口
５    布団
５ａ  表面シート
５ｂ  保温材
【図１】
2006000349.tif 000003
【図２】
2006000349.tif 000004
【図３】
2006000349.tif 000005
【図４】
2006000349.tif 000006
【図５】
2006000349.tif 000007
【図６】
2006000349.tif 000008